(57)【要約】【課題】  使用者が、排紙トレイを備えていない記録装置を、棚などの高所に設置しようとした場合、排紙方向に排出される用紙長相当の余剰スペースがないと、印刷物が落下して散乱してしまうため、コンパクトなサイズであっても、設置場所に制約が多かった。【解決手段】  使用者の指示を入力する入力手段と、印刷物を排紙する際に、用紙の後端部が排紙動作を行う排紙部材に保持される位置で排紙動作を保留する排紙保留モードを有し、前記排紙保留モードと、印刷物が完全に排出されるまで排紙を行う通常の排紙モードを前記入力手段によって入力された使用者の指示に応じて切り替えることが可能な排紙モード切り替え手段を備える。【選択図】  図３
2007106041.tif 000002
【特許請求の範囲】
【請求項１】
ホストコンピュータと双方向インタフェースで接続され、複数の吐出口からインクの吐出が可能な記録ヘッドを、吐出を行いながら主走査方向へ往復移動し、且つ印刷媒体を副走査方向へ搬送することで当該印刷媒体に印刷を行うインクジェット記録装置において、
排出された印刷物を積載するための排紙トレイを備えていないインクジェット記録装置で、
使用者の指示を入力する入力手段と、印刷物を排紙する際に、用紙の後端部が排紙動作を行う排紙部材に保持される位置で排紙動作を保留する排紙保留モードを有し、前記排紙保留モードと、印刷物が完全に排出されるまで排紙を行う通常の排紙モードを前記入力手段によって入力された使用者の指示に応じて切り替えることが可能な排紙モード切り替え手段を備えることを特徴とするインクジェット記録装置。
【請求項２】
排紙保留モードにおいて、排紙部材に保持されている印刷物が引き抜かれたことを検知する引き抜き検知手段を有し、該印刷物の引き抜きを検知した場合に、次ページの印刷処理を再開する印刷制御手段を備えることを特徴とする請求項１記載のインクジェット記録装置。
【発明の詳細な説明】
【技術分野】
【０００１】
本発明は、インクジェット記録装置に関し、特に、排紙トレイを持たない安価でコンパクトな記録装置において、用紙の後端部が排紙動作を行う排紙部材に保持される位置で排紙動作を保留する排紙保留モードを有し、前記排紙保留モードと、印刷物が完全に排出されるまで排紙を行う通常の排紙モードを前記入力手段によって入力された使用者の指示に応じて切り替えることが可能なインクジェット記録装置に関する。
【背景技術】
【０００２】
従来、排出された印刷物を積載するための排紙トレイを備え、印刷媒体を保持するための専用の保持部材で排紙された媒体を保持するインクジェット記録装置が存在した（キヤノン特開2000-71537）。しかし、この発明では、排紙トレイや専用の排出用紙保持部材を有しており、それらを持たない本件とは異なる。
また、従来、使用者が前述のような排紙保留モードと通常の排紙モードを切り替えることはできなかった。また、排紙が保留されている印刷物を引き抜くことにより、印刷を再開する制御も為されていなかった。
【特許文献１】特開２０００−７１５３７号公報
【発明の開示】
【発明が解決しようとする課題】
【０００３】
使用者が、排紙トレイを備えていない記録装置を、棚などの高所に設置しようとした場合、排紙方向に排出される用紙長相当の余剰スペースがないと、印刷物が落下して散乱してしまうため、コンパクトなサイズであっても、設置場所に制約が多かった。
【０００４】
本発明の目的は、排紙トレイを備えないインクジェット記録装置で、使用者の指示を入力する入力手段と、印刷物を排紙する際に、用紙の後端部が排紙動作を行う排紙部材に保持される位置で排紙動作を保留する排紙保留モードを有し、前記排紙保留モードと、印刷物が完全に排出されるまで排紙を行う通常の排紙モードを前記入力手段によって入力された使用者の指示に応じて切り替えることが可能な排紙モード切り替え手段を備えることを特徴とするインクジェット記録装置を提供することにより、記録装置の設置場所の制約を少なくすることである。さらに、排紙が保留されていた用紙が引き抜かれたことを検知して次ページの印刷を開始することで、使い勝手を向上する。
【課題を解決するための手段】
【０００５】
上記の課題を解決するため、使用者の指示を入力する入力手段と、印刷物を排紙する際に、用紙の後端部が排紙動作を行う排紙部材に保持される位置で排紙動作を保留する排紙保留モードを有し、前記排紙保留モードと、印刷物が完全に排出されるまで排紙を行う通常の排紙モードを前記入力手段によって入力された使用者の指示に応じて切り替えることが可能な排紙モード切り替え手段を備える。さらに、排紙部材に保持されている印刷物が引き抜かれたことを検知する引き抜き検知手段を有し、該印刷物の引き抜きを検知した場合に、次ページの印刷処理を再開する印刷制御手段を備えることを特徴とする。
【発明の効果】
【０００６】
以上説明したように本発明によれば、排紙トレイを備えないインクジェット記録装置で、使用者の指示を入力する入力手段と、印刷物を排紙する際に、用紙の後端部が排紙動作を行う排紙部材に保持される位置で排紙動作を保留する排紙保留モードを有し、前記排紙保留モードと、印刷物が完全に排出されるまで排紙を行う通常の排紙モードを前記入力手段によって入力された使用者の指示に応じて切り替えることが可能な排紙モード切り替え手段を備えることを特徴とするインクジェット記録装置を提供することにより、記録装置の設置場所の制約を少なくできる。さらに、排紙が保留されている用紙の引き抜きを検知して次ページの印刷を開始することで、使い勝手が向上する。
【発明を実施するための最良の形態】
【０００７】
図１は、本発明を適用可能なインクジェット記録装置の概略を示す斜視図である。記録装置１００の給紙位置に挿入された印刷媒体１０５は、送りローラ１０６によって矢印Ｐ方向に送られ、記録ヘッド１０４の印字可能領域へ搬送される。印字可能領域における印刷媒体１０５の下部には、プラテン１０７が設けられている。キャリッジ１０１は、２つのガイド軸１０２と１０３によって、それらの軸方向に沿う方向に移動可能となっており、不図示のCRモータの駆動により、印字領域を含む走査領域を、主走査方向である矢印Ｑ１、Ｑ２で示す方向に沿って往復走査する。１回の主走査が終了すると、不図示のLFモータの駆動により印刷媒体を矢印Ｐ方向である副走査方向に一定量だけ送り次の主走査に備える。これらの主走査と副走査を繰り返し１頁の印字動作を行う。
【０００８】
図１において、キャリッジ１０１に登載された記録ヘッド１０４は、インクを吐出可能な吐出口とインクを収容するインクタンクを含む構成であり、記録ヘッドの吐出口は下方に位置する印刷媒体にインクを吐出して印字するようにキャリッジ上に搭載されている。  また、１０８はスイッチ部と表示部であり、スイッチ部は記録装置の電源のオン／オフの切り替えや各種印字モードの設定等に使用され、表示部は記録装置の状態を表示可能に構成されている。１０９は、記録媒体が排出される排紙口である。この排紙口へ記録媒体を送るのが、図３で説明する排紙ローラ対２０４である。
【０００９】
記録ヘッドの構成は、Ｙ、Ｍ、Ｃ、Ｂｋの４色を印字可能であり、Ｙ、Ｍ、Ｃの吐出口の数は各１２８個、Ｂｋは３２０個であり、各色の吐出口の配置ピッチは数副走査方向に対して、１／６００dpiであり、約４２ミクロンである。記録ヘッドの駆動周波数は、１５ｋＨｚであり、主走査方向に対して６００dpiの密度で印字動作可能である。したがって、印字動作時のキャリッジの主走査速度は２５inch／sである。
【００１０】
本実施例における記録ヘッドの各吐出口付近には、インク滴を吐出するために熱エネルギーを発生する発熱体が設けられている。発熱体の発熱により急速に加熱されたノズル内のインクは膜沸騰により気泡を形成し、気泡生成の圧力によりインク滴が印刷媒体に向かって吐出され文字や画像を形成する。電気・熱変換体である発熱体を使用した記録方法は、インク滴吐出時に熱エネルギー印加により形成される気泡を使用しているため、通称バブルジェット（登録商標）記録方法と呼ばれている。
【００１１】
なお、本発明ではこの方式の記録ヘッドに限定されることは無く、例えば圧電素子を使用した吐出方式の記録ヘッドでも良い。
【００１２】
図２は、本発明を適用可能なインクジェット記録装置の主要部を示すブロック図である。ホスト装置５００から記録装置１００に印字すべき文字や画像のデータが送信され、受信バッファー４０１に蓄えられる。また、正しくデータが転送されているかどうかを確認するデータ、および記録装置１００の動作状態を知らせるデータが記録装置１００からホスト装置５００に送信される。
【００１３】
受信バッファー４０１に蓄えられたデータは、ＣＰＵ４０２の管理下において、記録ヘッドが主走査した時に印字を行うためのデ−タに加工され、ランダムアクセスメモリ部４０３内のプリントバッファ−部に記憶される。プリントバファ−部のデ−タは、記録ヘッドコントロール部４１０により記録ヘッド１０４に転送され、記録ヘッドを制御して文字や画像のデ−タを印字する。また、記録ヘッドコントロール部４１０は、記録ヘッド１０４の状態を示す温度情報等を検出してＣＰＵ４０２に送り、記録ヘッドコントロール部４１０にその情報を伝達し、記録ヘッドを制御する。
【００１４】
機械コントロール部４０４は、ＣＰＵ４０２からの指令によりキャリッジモータやラインフィードモータ等の機械部４０５を駆動制御する。
【００１５】
センサ／ＳＷコントロール部４０６は、各種センサやＳＷ（スイッチ）からなるセンサ／ＳＷ部４０７からの信号をＣＰＵ４０２に送る。
【００１６】
表示素子コントロール部４０８は、ＣＰＵ４０２からの指令により、表示パネル群のＬＥＤや液晶表示素子等からなる表示部４０９を制御するよう構成されている。
【００１７】
図３は、本発明を適用可能なインクジェット記録装置の排紙部材による印刷媒体の保持を表す断面図である。２０２は記録ヘッド、２０３はプラテンであり、印刷媒体２０６は、プラテン２０３の上で記録ヘッド２０２から吐出されるインクによって画像が記録される。２０１は、搬送ローラ対であり、所定量ずつ間欠的に記録媒体２０６をＰの方向へ送っていく。２０４は、排紙ローラ対であり、画像の記録が終了した印刷媒体を図１で示した排紙口へ、通常は送り出す。本発明においては、排紙保留モードの場合、図３（ｂ）で示すように排紙ローラ対に記録媒体の後端が挟まる形で排紙を保留し、印刷装置が棚などの高所に設置されたときに、記録媒体がぶら下がるようにする。こうすることで、印刷物が落下して散乱するのを防ぐ。また、２０５に記録媒体検知センサを設け、用紙が引き抜かれたときにはそれを検知し、次ページの印刷データがある場合には、印刷処理を再開する。排紙ローラ対を回転させるために、エンコーダ付きのＤＣモータを使用している場合には、用紙の引き抜きによりエンコーダのスリットがずれることを利用して記録媒体検知センサの代用とすることも可能である。
【００１８】
図４は、本発明におけるインクジェット記録装置の印刷制御動作を表したフローチャートである。この処理を実現するプログラムは図２のＲＯＭ４１１に格納されており、そのプログラムをＣＰＵ４０２が実行する。本実施例において、印刷は、図２の受信バッファ４０１にホストコンピュータによって転送される印刷コマンド及びデータに基づいて行われる。印刷コマンドには、使用者から指示された排紙モードを設定するコマンドも含まれる。また、排紙モードの設定は、図1で示したスイッチによる入力でも可能である。使用者から指示された排紙モードは、図２のＲＡＭ４０３に記憶される。
【００１９】
印刷が開始されると、記録装置は、ステップＳ３０１で、印刷処理を行う。ステップＳ３０２では、画像記録の終了後に行う排紙処理の開始判断を行っている。排紙処理が開始されると、ステップＳ３０３で、排紙保留モードが指示されているかどうか判別する。指示されていない場合は、ステップＳ３０６へ進み、通常の排紙処理を行う。その後、ステップＳ３０７で次ページの印刷データがあると判断された場合はステップＳ３０１へ戻り、次ページの印刷処理を行う。ステップＳ３０７で次ページがなかった場合は、印刷を終了する。
【００２０】
ステップＳ３０３で排紙保留モードが設定されていた場合は、ステップＳ３０４に進み、図３（ｂ）に示した状態で排紙動作を中断する。その後、使用者が用紙を引き抜くと、ステップＳ３０５で引き抜きが検知され、ステップＳ３０７へ進む。次ページの印刷データがある場合は、ステップＳ３０１の印刷処理へ戻る。
【図面の簡単な説明】
【００２１】
【図１】本発明の実施の形態に係るインクジェット記録装置の記録部の概略を示す斜視図である。
【図２】本実施の形態に係るインクジェット記録装置の概略構成を示すブロック図である。
【図３】本発明の実施の形態係るインクジェット記録装置における記録媒体の排出を示す断面図である。
【図４】本発明の実施の形態係るインクジェット記録装置における印刷処理の流れを表したフローチャートである。
【図１】
2007106041.tif 000003
【図２】
2007106041.tif 000004
【図３】
2007106041.tif 000005
【図４】
2007106041.tif 000006